(57)【特許請求の範囲】
【請求項１】
複数の送信機のうち、ペアリングした送信機から無線通信によって受信した情報を出力する受信機であって、
上記送信機と接続されたとき、上記送信機から電力を取得する電力取得部と、
接続した上記送信機とペアリングするか否かのユーザの選択を受け付けるペアリング選択受付部と、
上記送信機と接続されたとき、上記ペアリング選択受付部が受け付けた上記選択に応じて、該送信機とペアリングするか、または現在ペアリングしている送信機とのペアリングを維持するかを決定するペアリング決定部と、を備えることを特徴とする受信機。
【請求項２】
上記情報として音声を出力する音声出力部と、
上記音声出力部に音声を出力させる音声出力制御部と、
上記送信機とペアリングしたとき、該送信機に予め記憶されている、上記音声の音量を示す音量情報を取得する音量情報取得部と、をさらに備え、
上記音声出力制御部は、上記送信機とペアリングしたとき、上記音量情報取得部が取得した音量情報が示す音量で、上記音声出力部に音声を出力させることを特徴とする請求項１に記載の受信機。
【請求項３】
上記音声出力部が出力している音声の音量を上記音量情報として上記送信機に記憶するためのユーザ操作を受け付ける音量記憶操作部と、
上記音量記憶操作部が上記ユーザ操作を受け付けたとき、上記音声出力部が出力している音声の音量を示す上記音量情報を生成し、上記送信機に記憶させる音量情報制御部と、をさらに備えることを特徴とする請求項２に記載の受信機。
【請求項４】
上記音量情報が示す音量で音声を出力するか否かのユーザの選択を受け付ける音量選択受付部をさらに備え、
上記音声出力制御部は、上記音量選択受付部が受け付けた上記選択に応じて、上記音量情報が示す音量で上記音声出力部に音声を出力させるか、または、上記受信機にて設定された音量で上記音声出力部に音声を出力させることを特徴とする請求項２または３に記載の受信機。
【請求項５】
複数の送信機と、当該複数の送信機のうちペアリングした送信機から無線通信によって受信した情報を出力する受信機とを備える無線通信システムであって、
上記送信機と上記受信機とは、互いに接続されたとき、上記送信機から上記受信機に電力を供給し、
上記送信機または上記受信機は、
接続した上記送信機と上記受信機とのペアリングを行うか否かのユーザの選択を受け付け、
上記送信機と上記受信機とが接続されたとき、互いのペアリングを行うか否かのユーザの選択に応じて、該受信機と該送信機とのペアリングを行うか、または該受信機が現在ペアリングしている送信機とのペアリングを維持するかを決定する、ことを特徴とする無線通信システム。
【請求項６】
複数の送信機のうちペアリングした送信機から無線通信によって受信した情報を出力する受信機の制御方法であって、
上記送信機と接続されたとき、上記送信機から電力を取得する電力取得ステップと、
接続した上記送信機とペアリングするか否かのユーザの選択を受け付けるペアリング選択受付ステップと、
上記送信機と接続されたとき、上記ペアリング選択受付ステップにおいて受け付けた上記選択に応じて、該送信機とペアリングするか、または現在ペアリングしている送信機とのペアリングを維持するかを決定するペアリング決定ステップと、を含むことを特徴とする受信機の制御方法。
【発明の詳細な説明】
【技術分野】
【０００１】
本発明は、送信機との間で無線通信を行う受信機、送信機と受信機との間で無線通信を行う無線通信システム、および送信機との間で無線通信を行う受信機の制御方法に関する。
【背景技術】
【０００２】
テレビやパソコンなどの電子機器から出力される情報を受信し、該情報を無線通信によって送信する送信機と、該送信機から送信された情報を受信し、該情報に基づいて音声や画像などを出力する受信機とを備える無線通信システムが知られている。【０００３】
このような無線通信システムでは、送信機は、同期（ペアリング）している受信機に対して情報を送信する。そのため、送信機が複数存在する場合、受信機に所望の送信機からの情報を受信させるために、当該受信機を所望の送信機と同期させる必要がある。【０００４】
例えば、特許文献１には、二次電池の電力で動作可能な音声受信機と、音声受信機を設置可能な設置部を有する音声送信機とを備る無線通信システムが開示されている。該無線通信システムでは、音声受信機を音声送信機の設置部に設置することにより、音声受信機を充電するとともに、当該受信機と送信機との間で無線通信を可能とする通信識別データの設定（すなわち、ペアリング）を自動的に行うことができるようになっている。
【先行技術文献】
【特許文献】
【０００５】
【特許文献１】日本国公開特許公報「特開２００８−２２８１８８号公報（２００８年９月２５日公開）」
【発明の概要】
【発明が解決しようとする課題】
【０００６】
しかしながら、特許文献１に開示されている無線通信システムでは、音声受信機を音声送信機の設置部に設置した場合、音声受信機の充電のみを行いたい場合においても、自動的に送信機とペアリングしてしまう。そのため、音声送信機の設置部に設置する前にペアリングしていた送信機とのペアリングを維持したい場合においても、設置した送信機とペアリングしてしまうという問題があった。【０００７】
本発明は、前記の問題点に鑑みてなされたものであり、その目的は、受信機への電力供給のために受信機と送信機とを接続するときに、当該送信機とペアリングするかどうかを選択することができる、受信機、無線通信システム、および受信機の制御方法を提供することにある。
【課題を解決するための手段】
【０００８】
上記の課題を解決するために、本発明の一態様に係る受信機は、複数の送信機のうち、ペアリングした送信機から無線通信によって受信した情報を出力する受信機であって、上記送信機と接続されたとき、上記送信機から電力を取得する電力取得部と、接続した上記送信機とペアリングするか否かのユーザの選択を受け付けるペアリング選択受付部と、上記送信機と接続されたとき、上記ペアリング選択受付部が受け付けた上記選択に応じて、該送信機とペアリングするか、または現在ペアリングしている送信機とのペアリングを維持するかを決定するペアリング決定部と、を備えることを特徴とする。【０００９】
上記の課題を解決するために、本発明の一態様に係る無線通信システムは、複数の送信機と、当該複数の送信機のうちペアリングした送信機から無線通信によって受信した情報を出力する無線通信システムであって、上記送信機と上記受信機とは、互いに接続されたとき、上記送信機から上記受信機に電力を供給し、上記送信機または上記受信機は、接続した上記送信機と上記受信機とのペアリングを行うか否かのユーザの選択を受け付け、上記送信機と上記受信機とが接続されたとき、互いのペアリングを行うか否かのユーザの選択に応じて、該受信機と該送信機とのペアリングを行うか、または該受信機が現在ペアリングしている送信機とのペアリングを維持するかを決定することを特徴とする。【００１０】
上記の課題を解決するために、本発明の一態様に係る受信機の制御方法は、複数の送信機のうちペアリングした送信機から無線通信によって受信した情報を出力する受信機におけるペアリング方法であって、上記送信機と接続されたとき、上記送信機から電力を取得する電力取得ステップと、接続した上記送信機とペアリングするか否かのユーザの選択を受け付けるペアリング選択受付ステップと、上記送信機と接続されたとき、上記ペアリング選択受付ステップにおいて受け付けた上記選択に応じて、該送信機とペアリングするか、または現在ペアリングしている送信機とのペアリングを維持するかを決定するペアリング決定ステップと、を含むことを特徴とする。
【発明の効果】
【００１１】
本発明の一態様によれば、受信機への電力供給のために受信機と送信機とを接続するときに、当該送信機とペアリングするかどうかを選択することができるという効果を奏する。
【図面の簡単な説明】
【００１２】
【図１】本発明の実施形態１に係るワイヤレススピーカシステムの要部構成の一例を示すブロック図である。
【図２】図１に示すワイヤレススピーカシステムに含まれる機器の外観構成を示すものであり、（ａ）は音声受信機の斜視図であり、（ｂ）は音声送信機の斜視図である。
【図３】図１に示すワイヤレススピーカシステムが実行するペアリング処理の流れの一例を示すフローチャートである。
【図４】本発明の実施形態２に係るワイヤレススピーカシステムの要部構成の一例を示すブロック図である。
【図５】図４に示すワイヤレススピーカシステムに含まれる機器の外観構成を示すものであり、（ａ）は音声受信機の斜視図であり、（ｂ）は音声送信機の斜視図である。
【図６】図４に示すワイヤレススピーカシステムが実行する出力音量設定処理の流れの一例を示すフローチャートである。
【図７】図４に示すワイヤレススピーカシステムが実行するペアリング処理の流れの一例を示すフローチャートである。
【図８】本発明の実施形態３に係るワイヤレススピーカシステムの要部構成の一例を示すブロック図である。
【図９】図８に示すワイヤレススピーカシステムに含まれる機器の外観構成を示すものであり、（ａ）は音声受信機の斜視図であり、（ｂ）は音声送信機の斜視図である。
【図１０】図８に示すワイヤレススピーカシステムが実行するペアリング処理の流れの一例を示すフローチャートである。
【発明を実施するための形態】
【００１３】
〔実施形態１〕
以下、本発明の実施形態１におけるワイヤレススピーカシステム１Ａについて、図１〜図４を参照しながら説明する。
【００１４】
（ワイヤレススピーカシステム１Ａの構成）
本実施形態における無線通信システムとしてのワイヤレススピーカシステム１Ａの構成について、図１および図２を参照しながら説明する。図１は、ワイヤレススピーカシステム１Ａの要部構成の一例を示すブロック図である。図２は、ワイヤレススピーカシステム１Ａに含まれる機器の外観構成を示すものであり、（ａ）は音声受信機１０Ａの斜視図であり、（ｂ）は音声送信機３０Ａの斜視図である。なお、図１において、実線の矢印は情報の移動を示しており、破線の矢印は電力の移動を示している（以降のブロック図においても同様）。
【００１５】
図１および図２の（ａ）、（ｂ）に示すように、ワイヤレススピーカシステム１Ａは、音声受信機（受信機）１０Ａと、音声送信機（送信機）３０Ａとを含んでいる。なお、図示してはいないが、ワイヤレススピーカシステム１Ａは、複数の音声送信機３０Ａを含んでいる。以降、複数の音声送信機３０Ａを区別する必要がある場合は、「音声送信機３０Ａ１」、「音声送信機３０Ａ２」のように、末尾に数字を付す。また、音声受信機１０Ａは、１つであってもよいし、複数であってもよい。また、複数の音声送信機３０Ａはそれぞれ、音声出力機能を有する電子機器（例えばテレビ、不図示）と接続されている。すなわち、本実施形態に係るワイヤレススピーカシステム１Ａは、電子機器が音声送信機３０Ａに送信した音声データが、無線通信によって音声送信機３０Ａから音声受信機１０Ａに送信され、音声受信機１０Ａが備える音声出力部から出力されるシステムである。
【００１６】
（音声受信機１０Ａ）
音声受信機１０Ａは、音声送信機３０Ａから送信された音声データを音声として出力する機器であり、図２の（ａ）に示すように、本実施形態では略直方体の形状となっているが、形状は図示の例に限定されるものではない。
【００１７】
また、音声受信機１０Ａは、図１および図２の（ａ）に示すように、通信部１１と、音声出力部１２と、ペアリング維持ボタン（ペアリング選択受付部）１３と、接続端子１４と、音量設定ダイアル１５と、充電端子（電力取得部）１６ａと、充電端子（電力取得部）１６ｂと、充電制御回路（電力取得部）１７と、二次電池１８と、制御部２０Ａとを備えている。
【００１８】
接続端子１４は、音声送信機３０Ａの接続端子３４と電気的に接続される。制御部２０Ａは、接続端子１４と接続端子３４とが電気的に接続されたことを検知したとき、音声受信機１０Ａと音声送信機３０Ａとが接続されたと認識して、音声受信機１０Ａと音声送信機３０Ａとのペアリングを開始する。換言すれば、接続端子１４と接続端子３４との電気的な接続は、音声受信機１０Ａと音声送信機３０Ａとのペアリングのトリガとなる。
【００１９】
充電端子１６ａおよび充電端子１６ｂは、音声送信機３０Ａの充電端子３７ａおよび充電端子３７ｂとそれぞれ電気的に接続されることにより、音声送信機３０Ａから供給される電力（充電電力）を受け取るための端子である。つまりユーザは、充電端子１６ａおよび充電端子１６ｂと、充電端子３７ａおよび充電端子３７ｂとがそれぞれ電気的に接続されるように、後述する音声送信機３０Ａの凹部３２に、音声受信機１０Ａの筐体を嵌め込むことで、二次電池１８を充電することができる。なお以降、音声送信機３０Ａの凹部３２に音声受信機１０Ａの筐体を嵌め込むことを、音声受信機１０Ａを音声送信機３０Ａに「設置する」と呼称する。
【００２０】
充電制御回路１７は、充電端子１６ａおよび充電端子１６ｂが、充電端子３７ａおよび充電端子３７ｂから受け取った電力を二次電池１８に充電するための回路である。
【００２１】
二次電池１８は、音声受信機１０Ａの各部を駆動させるための電力を供給するための電池である。
【００２２】
通信部１１は、音声送信機３０Ａと無線通信を行う。具体的には、通信部１１は音声送信機３０Ａから送信された音声データ（情報）およびペアリングに必要な情報（例えば、音声送信機３０Ａを識別するための識別情報など）を受信し、これらのデータを制御部２０Ａに出力する。また、通信部１１は、ペアリングに必要な情報（例えば、音声受信機１０Ａを識別するための識別情報など）を音声送信機３０Ａに送信する。なお、本実施形態のワイヤレススピーカシステム１Ａでは、音声受信機１０Ａは、Ｂｌｕｅｔｏｏｔｈ（登録商標）通信によって音声送信機３０Ａと無線通信を行う。ただし、本発明の無線通信システムはこれに限られず、Ｗｉ−Ｆｉ（登録商標）などの他の無線通信手段を用いてもよい。
【００２３】
音声出力部１２は、音声信号処理回路、アンプ、スピーカを含み、制御部２０Ａからの指示に従って、取得した音声データに基づく音声を出力する。
【００２４】
ペアリング維持ボタン１３は、音声受信機１０Ａを音声送信機３０Ａに設置（接続）した際に、音声受信機１０Ａと音声送信機３０Ａとをペアリングさせるかどうかのユーザの選択を受け付けるボタンである。ペアリング維持ボタン１３は、図２の（ａ）に示すように、音声受信機１０Ａの筐体から突出した状態（以下、ＯＦＦ状態）、または、音声受信機１０Ａの筐体に押し込まれた状態（以下、ＯＮ状態）を取り得る。ペアリング維持ボタン１３は、ユーザの押下を受け付けるたびに、ＯＮ状態とＯＦＦ状態とを切り替え、現時点の状態を示す状態情報を制御部２０Ａに出力する。
【００２５】
なお、ペアリング維持ボタン１３は上記の構成に限定されない。例えば、押圧されているときのみ筐体に押し込まれた状態となるボタンであってもよい。また、ボタンの形状でなく、静電式タッチスイッチ、タッチパネルなどによって実現されてもよい。これらの例の場合、ペアリング維持ボタン１３は、ＯＮ状態とＯＦＦ状態との区別が無くなるので、状態情報に代えて、音声受信機１０Ａと接続された音声送信機３０Ａと、ペアリングするか否かを示す情報を制御部２０Ａ（具体的には、後述するペアリング制御部２１）に出力する。
【００２６】
上述したように、ユーザは二次電池１８の充電のために、音声受信機１０Ａを複数の音声送信機３０Ａのうちのいずれかに設置する。なお、この音声送信機３０Ａを音声送信機３０Ａ１と呼称する。一方、現時点で音声受信機１０Ａがペアリングしている音声送信機３０Ａを音声送信機３０Ａ２と呼称する。
【００２７】
ユーザは、音声受信機１０Ａと音声送信機３０Ａ１とを新たにペアリングさせることを希望する場合、音声受信機１０Ａを音声送信機３０Ａ１に設置する前に、ペアリング維持ボタン１３をＯＦＦ状態としておく。これにより、音声受信機１０Ａは、音声送信機３０Ａ１とペアリングされる。
【００２８】
一方、ユーザは、音声受信機１０Ａと音声送信機３０Ａ２とのペアリングを維持することを希望する場合、音声受信機１０Ａを音声送信機３０Ａ１に設置する前に、ペアリング維持ボタンをＯＮ状態としておく。これにより、音声受信機１０Ａは、音声送信機３０Ａ１とはペアリングされず、音声送信機３０Ａ２とのペアリングを維持する。
【００２９】
音量設定ダイアル１５は、音声出力部１２から出力される音声の音量を設定するためのダイアルである。ユーザは、音量設定ダイアル１５を操作することで、音声出力部１２から出力される音声の音量を変更することができる。音量設定ダイアル１５を操作することによって決定された音量を示すダイアル音量情報は、制御部２０Ａに出力される。
【００３０】
なお、図２の（ａ）に示す、音声出力部１２、ペアリング維持ボタン１３、接続端子１４、音量設定ダイアル１５、充電端子１６ａおよび充電端子１６ｂの位置は一例であり、ここに示した各部が設けられる位置は、図示の例に限定されるものではない。
【００３１】
制御部２０Ａは、音声受信機１０Ａの各部の動作を制御するブロックであり、例えば、ＣＰＵ（Central Processing Unit）を備えるマイクロコンピュータやマイクロプロセッサなどによって実現される。制御部２０Ａは、ペアリング制御部（ペアリング決定部）２１と、通信制御部２２Ａと、音声制御部２３と、出力音量設定部２４Ａとを備えている。
【００３２】
ペアリング制御部２１は、音声受信機１０Ａが音声送信機３０Ａに設置されたときに、音声受信機１０Ａと音声送信機３０Ａとをペアリングさせるかどうか決定する。具体的には、ペアリング制御部２１は、接続端子１４が音声送信機３０Ａの接続端子３４と電気的に接続したことを検知することにより、音声受信機１０Ａが音声送信機３０Ａに設置されたことを検知すると、該音声送信機３０ＡからのＢｌｕｅｔｏｏｔｈアドレスの受信を待機する。Ｂｌｕｅｔｏｏｔｈアドレスを受信すると、ペアリング制御部２１は、ペアリング維持ボタン１３から取得した最新の状態情報が、ＯＮ状態およびＯＦＦ状態の何れを示す情報であるかを特定する。最新の状態情報がＯＦＦ状態を示す情報である場合、Ｂｌｕｅｔｏｏｔｈアドレスの送信元である音声送信機３０Ａ（音声受信機１０Ａが設置されている音声送信機３０Ａ１）とのペアリングを実行する。なお、ペアリング処理の詳細については、既存の技術と同様であるため、ここでの説明を省略する。
【００３３】
一方、最新の状態情報がＯＮ状態を示す情報である場合、ペアリング制御部２１は、ペアリング拒否通知を通信制御部２２Ａに出力し、音声送信機３０Ａに送信させる。これにより、音声受信機１０Ａと音声送信機３０Ａ１とのペアリングは実行されず、音声受信機１０Ａと音声送信機３０Ａ２とのペアリングが維持される。
【００３４】
通信制御部２２Ａは、音声送信機３０Ａとの通信を制御する。具体的には、通信制御部２２Ａは、通信部１１を介して、音声送信機３０Ａから送信された音声データを取得し、当該音声データを音声制御部２３へ出力する。また、通信制御部２２Ａは、ペアリング制御部２１から取得したペアリング拒否通知を、通信部１１を制御して音声送信機３０Ａに送信する。
【００３５】
音声制御部２３は、音声出力部１２を制御して、通信制御部２２Ａから取得した音声データに基づく音声を出力させる。
【００３６】
出力音量設定部２４Ａは、音声出力部１２から出力される音声の音量を設定する。具体的には、出力音量設定部２４Ａは、音量設定ダイアル１５からダイアル音量情報を取得すると、該ダイアル音量情報を音声出力部１２（アンプ）に出力する。これにより、音声出力部１２は、ダイアル音量情報が示す音量で音声を出力することができる。なお、音声受信機１０Ａでは、図１に示すように、ダイアル音量情報は出力音量設定部２４Ａを介して音声出力部１２に出力されるが、音量設定ダイアル１５から音声出力部１２（アンプ）に直接出力されてもよい。
【００３７】
（音声送信機３０Ａ）
音声送信機３０Ａは、テレビなどの電子機器（不図示）から受信した音声データを音声受信機１０Ａに送信するための機器である。音声送信器３０Ａは、図２の（ｂ）に示すように、本実施形態では略直方体の形状となっているが、形状は図示の例に限定されるものではない。
【００３８】
音声送信機３０Ａは、図１および図２の（ｂ）に示すように、通信部３１と、凹部３２と、音声入力端子３３と、接続端子３４と、電源端子３５と、充電制御回路（送電部）３６と、充電端子（送電部）３７ａと、充電端子（送電部）３７ｂと、制御部４０Ａとを備えている。
【００３９】
通信部３１は、音声送信機３０Ａとの無線通信を行う。具体的には、通信部３１は、電子機器から取得した音声データおよびペアリングに必要な情報（例えば、音声受信機１０Ａを識別するための識別情報など）を音声受信機１０Ａに送信する。また、通信部３１は音声受信機１０Ａから送信されたペアリングに必要な情報（例えば、音声受信機１０Ａを識別するための識別情報など）を受信し、これらのデータを制御部４０Ａに出力する。
【００４０】
凹部３２は、略直方体の形状をした音声送信機３０Ａに設けられた凹部であり、音声受信機１０Ａを音声送信機３０Ａに設置するためのものである。つまり、凹部３２は、音声受信機１０Ａを嵌め込むことができる大きさとなっている。
【００４１】
なお、凹部３２は必須の構成ではなく、音声送信機３０Ａは、音声受信機１０Ａを載置可能ように構成されていればよい。例えば、音声送信機３０Ａの上面は平面であってもよい。また、音声送信機３０Ａに音声受信機１０Ａを載置するときに位置合わせが必要な場合は、音声送信機３０Ａおよび音声受信機１０Ａのいずれか一方に位置合わせ用のリブまたは突起を設け、他方にリブまたは突起に対応する面または孔を設ければよい。
【００４２】
音声入力端子３３は、電子機器からの音声データを取得するための端子である。
【００４３】
接続端子３４は、音声受信機１０Ａの接続端子１４と電気的に接続される。制御部４０Ａは、接続端子３４と接続端子１４とが電気的に接続されたことを検知したとき、音声受信機１０Ａと音声送信機３０Ａとが接続されたと認識して、音声受信機１０Ａと音声送信機３０Ａとのペアリングを開始する。換言すれば、接続端子３４と接続端子１４との電気的な接続は、音声受信機１０Ａと音声送信機３０Ａとのペアリングのトリガとなる。なお、接続端子３４には、接続端子１４と電気的に接続していないときの電圧を安定させるために、プルアップ抵抗またはプルダウン抵抗が接続される。
【００４４】
電源端子３５は、外部電源から電力を受け取るための端子である。電源端子３５が受け取った電力は、音声送信機３０Ａの各部に送られるとともに、音声送信機３０Ａに音声受信機１０Ａが設置されている場合、充電端子３７ａおよび充電端子３７ｂを介して音声受信機１０Ａに送られる。
【００４５】
充電制御回路３６は、電源端子３５が受け取った電力の一部を、充電端子３７ａおよび充電端子３７ｂを介して音声受信機１０Ａの充電端子１６ａおよび充電端子１６ｂへ送るための回路である。
【００４６】
充電端子３７ａおよび充電端子３７ｂは、音声受信機１０Ａの充電端子１６ａおよび充電端子１６ｂと電気的に接続されることにより、充電制御回路３６より取得した電力を音声受信機１０Ａへ供給するための端子である。
【００４７】
制御部４０Ａは、音声送信機３０Ａの各部の動作を制御するブロックであり、例えば、ＣＰＵ（Central Processing Unit）を備えるマイクロコンピュータやマイクロプロセッサなどによって実現される。制御部４０Ａは、ペアリング制御部４１Ａと、通信制御部４３Ａとを備えている。
【００４８】
ペアリング制御部４１Ａは、音声受信機１０Ａと音声送信機３０Ａとのペアリングを制御するためのものである。具体的には、ペアリング制御部４１Ａは、接続端子１４と接続端子３４とが電気的に接続されたことを検知すると、Ｂｌｕｅｔｏｏｔｈアドレスを通信制御部４３Ａに出力し、音声受信機１０Ａに送信させる。また、ペアリング制御部４１Ａは、音声受信機１０Ａから送信されたペアリング拒否通知を通信制御部４３Ａから取得したとき、ペアリング処理を中止する。
【００４９】
通信制御部４３Ａは、音声受信機１０Ａとの通信を制御する。具体的には、通信制御部４３Ａは、通信部３１を介して、音声入力端子３３から取得した音声データ、および、ペアリング制御部４１Ａから取得したＢｌｕｅｔｏｏｔｈアドレスを音声受信機１０Ａへ送信する。また、通信制御部４３Ａは、通信部３１から取得したペアリング拒否通知などの各種情報を、ペアリング制御部４１Ａに出力する。
【００５０】
（ワイヤレススピーカシステム１Ａが実行するペアリング処理の流れ）
次に、ワイヤレススピーカシステム１Ａが実行するペアリング処理（音声受信機１０Ａの制御方法）の流れについて、図３を参照しながら説明する。図３は、ワイヤレススピーカシステム１Ａが実行するペアリング処理の流れの一例を示すフローチャートである。
【００５１】
音声受信機１０Ａのペアリング維持ボタン１３は、音声受信機１０Ａが音声送信機３０Ａに設置される前に、ユーザの押下によってＯＮ状態またはＯＦＦ状態となる（Ｓ１１、ペアリング選択受付ステップ）。
【００５２】
音声送信機３０Ａのペアリング制御部４１Ａは、接続端子１４と接続端子３４とが電気的に接続されたことを検知することにより、音声受信機１０Ａが設置されたことを検知する（Ｓ１でＹＥＳ）。このとき、音声受信機１０Ａの充電端子１６ａおよび充電端子１６ｂと、音声送信機３０Ａの充電端子３７ａおよび充電端子３７ｂとが電気的に接続される。これにより、音声送信機３０Ａの充電制御回路３６が充電端子３７ａおよび充電端子３７ｂを介して、充電電力を音声受信機１０Ａへ供給する（Ｓ２）。そして、音声受信機１０Ａの充電制御回路１７は、当該充電電力を用いて二次電池１８を充電する（Ｓ１２、電力取得ステップ）。
【００５３】
次に、音声送信機３０Ａのペアリング制御部４１Ａがペアリング処理を開始する（Ｓ３）。具体的には、ペアリング制御部４１Ａは、Ｂｌｕｅｔｏｏｔｈアドレスを通信制御部２２Ａに出力し、通信制御部４３Ａは、通信部３１を介してＢｌｕｅｔｏｏｔｈアドレスを音声受信機１０Ａに送信する。
【００５４】
次に、Ｂｌｕｅｔｏｏｔｈアドレスを受信した通信部１１は、通信制御部２２Ａに該Ｂｌｕｅｔｏｏｔｈアドレスを出力する。通信制御部２２Ａは、取得したＢｌｕｅｔｏｏｔｈアドレスをペアリング制御部２１に出力する。ペアリング制御部２１は、Ｂｌｕｅｔｏｏｔｈアドレスを取得すると、ペアリング維持ボタン１３から取得した最新の状態情報が、ＯＮ状態およびＯＦＦ状態の何れを示す情報であるかを特定する。（Ｓ１３）。
【００５５】
最新の状態情報が、ペアリング維持ボタン１３がＯＦＦ状態であることを示している場合（Ｓ１３でＮＯ）、ペアリング制御部２１は、ペアリング処理を実行する（Ｓ１５、ペアリング決定ステップ）。具体的には、取得したＢｌｕｅｔｏｏｔｈアドレスが示す音声送信機３０Ａとのペアリングを新たに行う。なお、取得したＢｌｕｅｔｏｏｔｈアドレスが、現時点でペアリングしている音声送信機３０ＡのＢｌｕｅｔｏｏｔｈアドレスと同じ場合には、ペアリング制御部２１は、該Ｂｌｕｅｔｏｏｔｈアドレスが示す音声送信機３０Ａとのペアリングを維持する。なお、「取得したＢｌｕｅｔｏｏｔｈアドレスが、現時点でペアリングしている音声送信機３０ＡのＢｌｕｅｔｏｏｔｈアドレスと同じ場合」とは、ユーザが、音声受信機１０Ａを、ペアリングしている音声送信機３０Ａに設置した場合である。
【００５６】
一方、最新の状態情報が、ペアリング維持ボタン１３がＯＮ状態であることを示している場合（Ｓ１３でＹＥＳ）、ペアリング制御部２１は、ペアリング拒否通知を通信制御部２２Ａに出力する。通信制御部２２Ａは、該ペアリング拒否通知を、通信部１１を介して音声送信機３０Ａに送信する（Ｓ１４、ペアリング決定ステップ）。
【００５７】
次に、通信部３１および通信制御部４３Ａを介してペアリング拒否通知を受信すると（Ｓ４でＹＥＳ）、音声送信機３０Ａのペアリング制御部４１Ａは、ペアリング処理を中止する（Ｓ５）。
【００５８】
一方、ペアリング拒否通知を受信しなかった場合（Ｓ４でＹＥＳ）、音声送信機３０Ａのペアリング制御部４１Ａは、ペアリング処理を継続する。そして、音声受信機１０Ａと音声送信機３０Ａとのペアリングが完了すると、通信制御部４３Ａは、音声入力端子３３を介して電子機器から取得した音声データを、ペアリング処理中に受信したＢｌｕｅｔｏｏｔｈアドレスが示す音声受信機１０Ａへ、通信部３１を介して送信する（Ｓ６）。
【００５９】
最後に、音声受信機１０Ａの通信制御部２２Ａは、通信部１１を介して取得した音声データを音声制御部２３に出力する。音声制御部２３は、取得した音声データに基づく音声を音声出力部１２に出力させる（Ｓ１６）。具体的には、ステップＳ１３において、最新の状態情報が、ペアリング維持ボタンがＯＮ状態であることを示している場合には、音声受信機１０Ａが設置された音声送信機３０Ａとは異なる音声送信機３０Ａから音声データを受信し、音声制御部２３は、該音声データに基づいて音声を出力する。一方、ステップＳ１３において、最新の状態情報が、ペアリング維持ボタンがＯＦＦ状態であることを示している場合には、音声受信機１０Ａが設置された音声送信機３０Ａから音声データを受信し、音声制御部２３は、該音声データに基づいて音声を出力する。
【００６０】
以上のように、本実施形態における音声受信機１０Ａは、複数の音声送信機３０Ａのうち、ペアリングした音声送信機３０Ａから無線通信によって受信した音声を出力する、二次電池１８の電力で動作する音声受信機である。そして、音声受信機１０Ａは、音声送信機３０Ａに設置（電気的に接続）されたとき、音声送信機３０Ａから供給された電力で二次電池１８を充電する充電端子１６ａ、１６ｂおよび充電制御回路１７と、設置（電気的に接続）した音声送信機３０Ａとのペアリングを行うか否かのユーザの選択を受け付けるペアリング維持ボタン１３と、音声送信機３０Ａに設置（電気的に接続）されたとき、ペアリング維持ボタン１３が受け付けたユーザの選択に応じて、当該音声送信機３０Ａとペアリングするか、または現在ペアリングしている音声送信機３０Ａとのペアリングを維持するかを決定するペアリング制御部２１と、を備えている。
【００６１】
この構成によれば、ペアリング制御部２１は、ペアリング維持ボタン１３が、音声受信機１０Ａが設置された音声送信機３０Ａ（音声送信機３０Ａ１）とのペアリングを行うことを示す選択を受け付けた（ＯＦＦ状態となっている）場合には、音声受信機１０Ａと、音声送信機３０Ａ１とのペアリングを行う。一方、ペアリング制御部２１は、ペアリング維持ボタン１３が、音声送信機３０Ａ１とのペアリングを行わないことを示す選択を受け付けた（ＯＮ状態となっている）場合には、音声受信機１０Ａと、音声送信機３０Ａ１とのペアリングを行わず、二次電池１８の充電のみを行う。つまり、ユーザが音声受信機１０Ａの充電のみを行いたい場合には、ユーザが音声受信機１０Ａを音声送信機３０Ａ１に設置する前にペアリング維持ボタン１３をＯＮ状態とすることにより、音声受信機１０Ａと音声送信機３０Ａ１とが自動的にペアリングすることを防ぐことができるようになっている。
【００６２】
なお、本実施形態では、無線通信システムとして、受信機と送信機とが無線通信により音声データを送受信するワイヤレススピーカシステム１Ａについて説明したが、これに限定されない。すなわち、受信機と送信機とが無線通信により情報を送受信する無線通信システムであればよく、例えば、送信機がパソコンなどの電子機器から受け取った動画や写真などの情報を受信機に送信し、該受信機が受信した動画や写真を自機の表示部に表示させる無線通信システムであってもよい。
【００６３】
また、上述した例では、ペアリング維持ボタン１３がＯＮ状態である場合、音声受信機１０Ａのペアリング制御部２１が、ペアリング拒否通知を音声送信機３０Ａに送信し、該ペアリング拒否通知を受信した音声送信機３０Ａはペアリング処理を中止する構成であった。しかしながら、音声送信機３０Ａは、ペアリング維持ボタン１３がＯＮ状態であること、換言すれば、自機とのペアリングが行われないことを認識したときにペアリング処理を中止する構成であればよく、音声送信機３０Ａがペアリング処理を中止するトリガは、ペアリング拒否通知の受信には限定されない。例えば、所定時間以内に音声受信機１０Ａから、ペアリングに必要な情報を受信しなかった場合、ペアリング制御部４１Ａはペアリング処理を中止してもよい。
【００６４】
また、上述した例では、接続端子１４と接続端子３４とが電気的に接続されたとき、音声受信機１０Ａと音声送信機３０Ａとのペアリングを開始する構成であった。しかしながら、ペアリングの開始のトリガは、接続端子１４と接続端子３４とが電気的に接続されることに限定されない。例えば、充電端子１６ａおよび充電端子１６ｂと、充電端子３７ａおよび充電端子３７ｂとが電気的に接続されたとき、ペアリングを開始してもよい。なおこの構成の場合、接続端子１４および接続端子３４は省略されてもよい。
【００６５】
また、上述した例では、ペアリング維持ボタン１３が音声受信機１０Ａに設けられている例を説明したが、電気的に接続した音声受信機１０Ａと音声送信機３０Ａとのペアリングを実行するか否かの選択を受け付けるボタンは、音声送信機３０Ａに設けられていてもよい。この例の場合、該ボタンがＯＮ状態であるとき、音声送信機３０Ａのペアリング制御部４１Ａは、設置された音声受信機１０ＡにＢｌｕｅｔｏｏｔｈアドレスを送信しない。これにより、音声受信機１０Ａは、ペアリングしている音声送信機３０Ａ（自機を設置した音声送信機３０Ａとは異なる音声送信機３０Ａ）とのペアリングを維持することができる。一方、上記ボタンがＯＦＦ状態であるとき、ペアリング制御部４１Ａは、設置された音声受信機１０ＡにＢｌｕｅｔｏｏｔｈアドレスを送信する。これにより、電気的に接続された音声送信機３０Ａと音声受信機１０Ａとのペアリング処理が実行される。
【００６６】
〔実施形態２〕
本発明の他の実施形態について、図４〜図７に基づいて説明すれば、以下のとおりである。なお、説明の便宜上、前記実施形態にて説明した部材と同じ機能を有する部材については、同じ符号を付記し、その説明を省略する。
【００６７】
音声受信機をそれまで使用していた場所とは異なる場所（例えば、異なる部屋）に設置された音声送信機と新たにペアリングを行い、当該異なる場所にて音声を出力する場合、当該異なる場所に適さない音量（例えば、大音量）で音声が出力される可能性がある。
【００６８】
そこで、本実施形態におけるワイヤレススピーカシステム１Ｂは、音声送信機が設置されている場所に適した音量を予め音声送信機に記憶させておき、新たに音声受信機とペアリングさせたときに、音声受信機から出力される音量を音声送信機に予め記憶させた音量に設定することができる点が実施形態１にて説明したワイヤレススピーカシステム１Ａと異なっている。
【００６９】
（ワイヤレススピーカシステム１Ｂの構成）
本実施形態におけるワイヤレススピーカシステム１Ｂの構成について、図４および図５を参照しながら説明する。図４は、ワイヤレススピーカシステム１Ｂの要部構成の一例を示すブロック図である。図５は、ワイヤレススピーカシステム１Ｂに含まれる機器の外観構成を示すものであり、（ａ）は音声受信機１０Ｂの斜視図であり、（ｂ）は音声送信機３０Ｂの斜視図である。
【００７０】
図４および図５の（ａ）、（ｂ）に示すように、ワイヤレススピーカシステム１Ｂは、実施形態１で説明したワイヤレススピーカシステム１Ａと異なり、音声受信機１０Ａおよび音声送信機３０Ａに代えて、音声受信機１０Ｂおよび音声送信機３０Ｂを含んでいる。
【００７１】
（音声受信機１０Ｂ）
音声受信機１０Ｂは、実施形態１にて説明した音声受信機１０Ａと異なり、図４および図５の（ａ）に示すように、音量設定ボタン（音量記憶操作部）５１を新たに備えている。また、制御部２０Ａに代えて、制御部２０Ｂを備えている。
【００７２】
音量設定ボタン５１は、音声出力部１２が出力している音声の音量をユーザ設定音量データ（音量情報）として音声送信機３０Ｂに記憶するためのユーザの操作を受け付けるボタンである。具体的には、音量設定ボタン５１は、ユーザの押下を受け付けることができるように構成されている。例えば、ユーザの押下によって音声受信機１０Ｂの筐体に押し込まれ、ユーザが押下を止めたとき、図５の（ａ）に示す、音声受信機１０Ｂの筐体から突出した状態に戻るように構成されている。そして、音量設定ボタン５１は、ユーザの押下を受け付けたとき、その旨を示す信号を設定音量送信部５２に出力する。
【００７３】
なお、音量設定ボタン５１は、ボタンの形状に限定されない。例えば、静電式タッチスイッチやタッチパネルなど、ユーザが音量設定ボタン５１を操作したことを検知可能な構成であればよい。
【００７４】
制御部２０Ｂは、実施形態１にて説明した制御部２０Ａと異なり、設定音量送信部（音量情報制御部）５２を新たに含んでいる。また、通信制御部２２Ａおよび出力音量設定部２４Ａに代えて、通信制御部（音量情報取得部）２２Ｂおよび出力音量設定部（音声出力制御部）２４Ｂを含んでいる。
【００７５】
設定音量送信部５２は、音量設定ボタン５１によりユーザ設定音量の選択を受け付けたとき、音声出力部１２が出力している音声の音量をユーザ設定音量データ（音量情報）として音声送信機３０Ｂに出力する。具体的には、設定音量送信部５２は、音量設定ボタン５１からの信号を取得すると、音量設定ダイアル１５によって決定されたダイアル音量情報を取得する。そして、取得したダイアル音量情報を、ユーザ設定音量データとして、通信制御部２２Ｂに出力する。
【００７６】
通信制御部２２Ｂは、実施形態１にて説明した通信制御部２２Ａの機能に加え、設定音量送信部５２から取得したユーザ設定音量データを、通信部１１を介して音声送信機３０Ｂに送信する。また、通信制御部２２Ｂは、音声送信機３０Ｂから送信されたユーザ設定音量データを、通信部１１を介して取得し、出力音量設定部２４Ｂへ出力する。
【００７７】
出力音量設定部２４Ｂは、実施形態１にて説明した出力音量設定部２４Ａの機能に加え、音声送信機３０Ｂから送信されたユーザ設定音量データを取得したとき、音声出力部１２から出力される音声の音量を、該ユーザ設定音量データが設定した音量とする。具体的には、出力音量設定部２４Ｂは、音声受信機１０Ｂと音声送信機３０Ｂとのペアリング処理の完了後に、通信制御部２２Ｂからユーザ設定音量データを取得した場合、該ユーザ設定音量データを音声出力部１２（アンプ）に出力する。これにより、音声出力部１２は、ユーザ設定音量データが示す音量で音声を出力することができる。
【００７８】
（音声送信機３０Ｂ）
音声送信機３０Ｂは、実施形態１にて説明した音声送信機３０Ｂと異なり、図４および図５の（ｂ）に示すように、設定音量記憶部６２を新たに備えている。また、制御部４０Ａに代えて、制御部４０Ｂを備えている。
【００７９】
制御部４０Ｂは、実施形態１にて説明した制御部４０Ｂと異なり、設定音量制御部６１を新たに含んでいる。また、ペアリング制御部４１Ａおよび通信制御部４３Ａに代えて、ペアリング制御部４１Ｂおよび通信制御部４３Ｂを含んでいる。
【００８０】
設定音量制御部６１は、音声受信機１０Ｂから取得したユーザ設定音量データを後述する設定音量記憶部６２に記憶させる。具体的には、設定音量制御部６１は、通信制御部４３Ｂから取得したユーザ設定音量データを、後述する設定音量記憶部６２に記憶する。また、設定音量制御部６１は、音声受信機１０Ｂと音声送信機３０Ｂとのペアリングが完了したことに伴う、ペアリング制御部４１Ｂの通知を受けると、設定音量記憶部６２に記憶されているユーザ設定音量データを読み出し、通信制御部４３Ｂに出力する。
【００８１】
ペアリング制御部４１Ｂは、実施形態１にて説明したペアリング制御部４１Ａの機能に加え、音声受信機１０Ｂとのペアリングが完了したとき、その旨を設定音量制御部６１へ通知する。
【００８２】
通信制御部４３Ｂは、実施形態１にて説明した通信制御部４３Ａの機能に加え、通信部３１からユーザ設定音量データを取得すると、該ユーザ設定音量データを設定音量制御部６１へ出力する。また、設定音量制御部６１から取得したユーザ設定音量データを、通信部３１を介して音声受信機１０Ｂに送信する。
【００８３】
設定音量記憶部６２は、設定音量制御部６１から受信したユーザ設定音量データを記憶するためのものであり、例えば、ＥＥＰＲＯＭ（登録商標）（Electrically Erasable Programmable Read Only Memory）などのメモリにて構成されている。
【００８４】
（ユーザ設定音量の設定処理）
ワイヤレススピーカシステム１Ｂにおいて、音声送信機３０Ｂにユーザ設定音量データを記憶させる処理について、図６を参照しながら説明する。図６は、ワイヤレススピーカシステム１Ｂが実行する出力音量設定処理の流れの一例を示すフローチャートである。
【００８５】
まず、ユーザが音量設定ダイアル１５を操作することにより、音声受信機１０Ｂから出力される音声の音量が、音声送信機３０Ｂが設置されている場所に適した音量に調節される（Ｓ２１）。
【００８６】
次に、音量設定ボタン５１がユーザの押下を受け付ける（Ｓ２２）と、設定音量送信部５２は、現時点で音声出力部１２から出力されている音声の音量を示す、ダイアル音量情報を取得する。そして、設定音量送信部５２は、該ダイアル音量情報を、ユーザ設定音量データとして通信制御部２２Ｂに出力する。通信制御部２２Ｂは、通信部１１を介して、該ユーザ設定音量データを音声送信機３０Ｂに出力する（Ｓ２３）。
【００８７】
最後に、音声送信機３０Ｂの通信制御部４３Ｂは、音声受信機１０Ｂから送信されたユーザ設定音量データを、通信部３１を介して取得する。通信制御部４３Ｂは、取得したユーザ設定音量データを設定音量制御部６１に出力する。設定音量制御部６１は、取得したユーザ設定音量データを設定音量記憶部６２に記憶させる。これにより、当該音声送信機３０Ｂが設置されている場所に適した音量を示すユーザ設定音量データが設定音量記憶部６２に記憶される（Ｓ３１）。
【００８８】
（ワイヤレススピーカシステム１Ｂが実行するペアリング処理の流れ）
次に、ワイヤレススピーカシステム１Ｂが実行するペアリング処理の流れについて、図７を参照しながら説明する。図７は、ワイヤレススピーカシステム１Ｂが実行するペアリング処理の流れの一例を示すフローチャートである。なお、ステップＳ４１〜Ｓ４５、およびＳ５１〜Ｓ５４については、実施形態１におけるステップＳ１〜Ｓ５、およびＳ１１〜Ｓ１４とそれぞれ同じであるため、説明を省略する。
【００８９】
音声受信機１０Ｂと音声送信機３０Ｂとのペアリング処理が実行され、ペアリング処理が完了すると、音声送信機３０Ｂのペアリング制御部４１Ｂは、その旨を設定音量制御部６１へ通知する。設定音量制御部６１は、該通知を受けて、設定音量記憶部６２に記憶されているユーザ設定音量データを読み出し、通信制御部４３Ｂに出力する。通信制御部４３Ｂは、通信部３１を介して、取得したユーザ設定音量データを音声受信機１０Ｂに送信する（Ｓ４６）。
【００９０】
次に、音声受信機１０Ｂの通信制御部２２Ｂは、音声送信機３０Ｂから送信されたユーザ設定音量データを、通信部１１を介して受信し（Ｓ５６）、該ユーザ設定音量データを出力音量設定部２４Ｂに出力する。出力音量設定部２４Ｂは、受信したユーザ設定音量データに基づいて、音声出力部１２から出力される音声の音量を設定する（Ｓ５７）。
【００９１】
次に、通信制御部４３Ｂは、音声入力端子３３を介して電子機器から取得した音声データを、通信部３１を介して、ペアリングした音声受信機１０Ｂへ送信する（Ｓ４７）。
【００９２】
最後に、音声受信機１０Ｂの通信制御部２２Ｂは、通信部１１を介して取得した音声データを音声制御部２３に出力する。音声制御部２３は、取得した音声データに基づく音声を音声出力部１２に出力させる（Ｓ５８）。このときの音声の音量は、音量設定ダイアル１５が示す音量ではなく、ユーザ設定音量データが示す音量となる。なお、音声受信機１０Ｂから出力される音声の音量設定は、音声送信機３０Ｂとのペアリングが解除されたときに、音量設定ダイアル１５で受け付けた音量設定となる。具体的には、音声受信機１０Ｂのペアリング制御部２１は、音声送信機３０Ｂとのペアリングを解除したとき、その旨を出力音量設定部２４Ａに通知する。出力音量設定部２４Ａは、該通知を受けると、ユーザ設定音量データを削除する。
【００９３】
なお、本実施形態に係るユーザ設定音量データは、図６に示すように、ユーザが実際に音声受信機１０Ｂから出力される音声を確認しながら、音量設定ダイアル１５を操作し、適切な音量となったところで、ユーザが音量設定ボタン５１を押下することで音声送信機３０Ｂに記憶される構成であった。しかしながら、ユーザ設定音量データはこの例で記憶されるものに限定されない。例えば、音声送信機３０Ｂの出荷時に、予め想定される部屋の種類（例えばリビング、寝室、勉強部屋など）に応じた複数の設定テーブル（不図示）を設定音量記憶部６２に記憶しておき、音声送信機３０Ｂが設置される部屋に合わせてユーザが設定テーブルを選択する構成としてもよい。この例の場合、図６に示す方法でユーザ設定音量データが決定されたとき、出荷時に記憶されていたユーザ設定音量データは上書きされる構成であってもよい。
【００９４】
以上のように、本実施形態における音声受信機１０Ｂは、音声を出力する音声出力部１２と、音声出力部１２に音声を出力させる出力音量設定部２４Ｂと、音声送信機３０Ｂとペアリングしたとき、音声送信機３０Ｂに予め記憶されている音量情報を取得する通信制御部２２Ｂとを備えている。そして、出力音量設定部２４Ｂは、音声送信機３０Ｂとペアリングしたとき、通信制御部２２Ｂが取得した音量情報が示す音量で、音声出力部１２に音声を出力させる。
【００９５】
上記の構成によれば、音声送信機３０Ｂとペアリングしたときに、当該音声送信機３０Ｂが記憶している音量情報が示す音量に基づいて音声出力部１２から音声を出力する。したがって、音声受信機１０Ｂの音量設定ダイアル１５が示す音量が、音声送信機３０Ｂが設置されている場所に適していない音量となっていた場合に、該音量で音声が出力されることを防ぐことができるようになっている。
【００９６】
また、音声受信機１０Ｂは、音声出力部１２が出力している音声の音量をユーザ設定音量データとして音声送信機３０Ｂに記憶するためのユーザ操作を受け付ける音量設定ボタン５１と、音量設定ボタン５１がユーザ操作を受け付けたとき、音声出力部１２が出力している音声の音量を示すユーザ設定音量データを生成し、音声送信機３０Ｂに記憶させる設定音量送信部５２と、をさらに備えている。
【００９７】
上記の構成によれば、音声出力部１２が出力している音声の音量をユーザ設定音量データとして音声送信機３０Ｂに記憶させることができる。したがって、音声送信機３０Ｂとペアリングしたときに、音声受信機１０Ｂから出力される音声の音量を、ユーザの所望の音量とすることができる。
【００９８】
また、ユーザ設定音量データに基づいて設定した音量で音声出力部１２から音声を出力しているときに、ユーザが、音量設定ダイアル１５を操作して、音声出力部１２から出力される音声の音量を変化させることが想定される。このとき、ユーザ設定音量データに基づいて設定した音量と、操作前の音量設定ダイアル１５が示す音量とが大きく異なっている可能性がある。このような場合に、ユーザが音量設定ダイアル１５を操作すると、音声出力部１２から出力される音量が急激に変化してしまうという問題がある。この問題を解決するために、本実施形態に係る出力音量設定部２４Ｂは、音量設定ダイアル１５の操作に基づく音量の変更量を特定し、ユーザ設定音量データが示す音量を、特定した変更量で変更させ、変更後の音量を音声出力部１２に出力する構成であってもよい。これにより、ユーザ設定音量データが示す音量を基準として音量が変更されることとなるので、音声出力部１２から出力される音量が急激に変化することを防ぐことができる。なお、変更後の音量を示す情報は、音声受信機１０Ｂと音声送信機３０Ｂとのペアリングが解除されたときに、無効となってもよい。
【００９９】
〔実施形態３〕
本発明の他の実施形態について、図８〜図１０に基づいて説明すれば、以下のとおりである。なお、説明の便宜上、前記実施形態にて説明した部材と同じ機能を有する部材については、同じ符号を付記し、その説明を省略する。
【０１００】
実施形態２におけるワイヤレススピーカシステム１Ｂでは、音声受信機１０Ｂと音声送信機３０Ｂとがペアリングした際に、音声出力部１２から出力される音声の音量を、音声送信機３０Ｂが記憶している音量に自動的に設定する構成であった。これに対して、本実施形態におけるワイヤレススピーカシステム１Ｃでは、新たにペアリングした音声送信機から受信した音声情報を、音声送信機３０Ｂが記憶している音量情報に基づいた音量で出力するか、または、音量設定ダイアル１５が示す音量で出力するかを、ユーザが選択できるようになっている点が実施形態２にて説明したワイヤレススピーカシステム１Ｂと異なっている。
【０１０１】
（ワイヤレススピーカシステム１Ｃの構成）
本実施形態におけるワイヤレススピーカシステム１Ｃの構成について、図８および図９を参照しながら説明する。図８は、ワイヤレススピーカシステム１Ｃの要部構成の一例を示すブロック図である。図９は、ワイヤレススピーカシステム１Ｃに含まれる機器の外観構成を示すものであり、（ａ）は音声受信機１０Ｃの斜視図であり、（ｂ）は音声送信機３０Ｂの斜視図である。
【０１０２】
図８および図９の（ａ）、（ｂ）に示すように、ワイヤレススピーカシステム１Ｃは、実施形態１で説明したワイヤレススピーカシステム１Ａと異なり、音声受信機１０Ａおよび音声送信機３０Ａに代えて、音声受信機１０Ｃおよび音声送信機３０Ｂを含んでいる。なお、音声送信機３０Ｂについては、実施形態２にて既に説明しているため、ここでの説明を省略する。
【０１０３】
（音声受信機１０Ｃ）
音声受信機１０Ｃは、実施形態１にて説明した音声受信機１０Ａと異なり、図８および図９の（ａ）に示すように、音量設定ボタン５１、および音量維持ボタン（音量選択受付部）７０を新たに備えている。また、制御部２０Ａに代えて制御部２０Ｃを備えている。なお、音量設定ボタン５１は、実施形態２にて既に説明しているため、ここでの説明を省略する。
【０１０４】
音量維持ボタン７０は、音声受信機１０Ｃと音声送信機３０Ｂとがペアリングしたとき、新たにペアリングした音声送信機３０Ｂから受信した音声データに基づく音声の音量を、ユーザ設定音量データに基づく音量とするか、または、音量設定ダイアル１５に基づく音量とするかのユーザの選択を受け付けるためのボタンである。音量維持ボタン７０は、図９の（ａ）に示すように、音声受信機１０Ｃの筐体から突出した状態（以下、ＯＦＦ状態）、または、音声受信機１０Ｃの筐体に押し込まれた状態（以下、ＯＮ状態）を取り得る。音量維持ボタン７０は、ユーザの押下を受け付けるたびに、ＯＮ状態とＯＦＦ状態とを切り替え、現在の状態を示す状態情報を制御部２０Ｃに出力する。
【０１０５】
なお、音量維持ボタン７０は上記の構成に限定されない。例えば、押圧されているときのみ筐体に押し込まれた状態となるボタンであってもよい。また、ボタンの形状でなく、静電式タッチスイッチ、タッチパネルなどによって実現されてもよい。これらの例の場合、音量維持ボタン７０は、ＯＮ状態とＯＦＦ状態との区別が無くなるので、状態情報に代えて、音声の音量をユーザ設定音量データに基づく音量とするか、または、音量設定ダイアル１５に基づく音量とするかを示す情報を制御部２０Ａ（具体的には、後述するペアリング制御部２１）に出力する。
【０１０６】
ユーザは、ユーザ設定音量データに基づく音量で音声出力部１２に音声を出力させることを希望する場合、音声受信機１０Ｃを音声送信機３０Ｂに設置する前に、音量維持ボタン７０をＯＦＦ状態としておく。
【０１０７】
一方、ユーザは、音量設定ダイアル１５が示す音量で音声出力部１２に音声を出力させることを希望する場合、音声受信機１０Ｃを音声送信機３０Ｂに設置する前に、音量維持ボタン７０をＯＮ状態としておく。
【０１０８】
制御部２０Ｃは、実施形態１にて説明した制御部２０Ａと異なり、設定音量送信部５２を新たに含んでいる。また、通信制御部２２Ａおよび出力音量設定部２４Ａに代えて、通信制御部２２Ｂおよび出力音量設定部２４Ｃを含んでいる。なお、設定音量送信部５２および通信制御部２２Ｂは、実施形態２にて既に説明しているため、ここでの説明を省略する。
【０１０９】
出力音量設定部２４Ｃは、音声出力部１２から出力される音声の音量を設定する。具体的には、出力音量設定部２４Ｃは、音声受信機１０Ｃと音声送信機３０Ｂとのペアリング処理が完了した後、音声送信機３０Ｂからユーザ設定音量データを受信すると、音量維持ボタン７０から取得した最新の状態情報が、ＯＮ状態およびＯＦＦ状態の何れを示す情報であるかを特定する。最新の状態情報がＯＦＦ状態を示す情報である場合、出力音量設定部２４Ｃは、ユーザ設定音量データを音声出力部１２（アンプ）に出力する。これにより、音声出力部１２は、ユーザ設定音量データが示す音量で音声を出力することができる。一方、最新の状態情報がＯＮ状態を示す情報である場合、出力音量設定部２４Ｃは、音量設定ダイアル１５から取得していたダイアル音量情報を取得し、音声出力部１２（アンプ）に出力する。これにより、音声出力部１２は、ダイアル音量情報が示す音量で音声を出力することができる。
【０１１０】
（ワイヤレススピーカシステム１Ｃのペアリング動作）
次に、ワイヤレススピーカシステム１Ｃのペアリング動作について、図１０を参照しながら説明する。図１０は、ワイヤレススピーカシステム１Ｃが実行するペアリング処理の流れに一例を示すフローチャートである。なお、ステップＳ６１〜Ｓ６６、およびＳ７１〜Ｓ７６については、実施形態２におけるステップＳ４１〜Ｓ４６、およびＳ５１〜Ｓ５６とそれぞれ同じであるため、説明を省略する。
【０１１１】
音声送信機３０Ｂから送信されたユーザ設定音量データを受信した後（Ｓ７６）、出力音量設定部２４Ｃは、音量維持ボタン７０から取得した最新の状態情報が、ＯＮ状態およびＯＦＦ状態の何れを示す情報であるかを特定する（Ｓ７７）。
【０１１２】
最新の状態情報が、音量維持ボタン７０がＯＦＦ状態であることを示している場合（Ｓ７７でＮＯ）、出力音量設定部２４Ｃは、音声出力部１２から出力される音声の音量を、音声送信機３０Ｂから受信したユーザ設定音量データに基づいた音量に設定する（Ｓ７８）。具体的には、出力音量設定部２４Ｃは、該ユーザ設定音量データを音声出力部１２（アンプ）に出力する。
【０１１３】
一方、最新の状態情報が、音量維持ボタン７０がＯＮ状態であることを示している場合（Ｓ７７でＹＥＳ）、出力音量設定部２４Ｃは、音量設定ダイアル１５から取得していたダイアル音量情報を取得し、音声出力部１２（アンプ）に出力する。
【０１１４】
次に、通信制御部４３Ｂは、音声入力端子３３を介して電子機器から取得した音声データを、通信部３１を介して、ペアリングした音声受信機１０Ｃへ送信する（Ｓ６７）。
【０１１５】
最後に、音声受信機１０Ｃの通信制御部２２Ｂは、通信部１１を介して取得した音声データを音声制御部２３に出力する。音声制御部２３は、取得した音声データに基づく音声を音声出力部１２に出力させる（Ｓ７９）。
【０１１６】
以上のように、本実施形態における音声受信機１０Ｃは、ユーザ設定音量データが示す音量で音声を出力するか否かのユーザの選択を受け付ける音量維持ボタン７０を備え、出力音量設定部２４Ｃは、音量維持ボタン７０が受け付けたユーザの選択に応じて、ユーザ設定音量データが示す音量で音声出力部１２に音声を出力させるか、または、音声受信機１０Ａにて設定された音量で音声出力部１２に音声を出力させる構成である。
【０１１７】
上記の構成によれば、新たにペアリングした音声送信機３０Ｂから受信した音声情報を、音声送信機３０Ｂが記憶している音量情報に基づいた音量で出力するか、または、音量設定ダイアル１５が示す音量で出力するかを、音量維持ボタン７０を操作することによりユーザが選択することができる。
【０１１８】
また、ワイヤレススピーカシステム１Ｂおよびワイヤレススピーカシステム１Ｃでは、音声受信機１０Ｂおよび音声受信機１０Ｃが備える音量設定ダイアル１５を用いて、ユーザ設定音量を設定する構成であったが、本発明の無線通信システムはこれに限られない。例えば、音声送信機３０Ｂに音量を調節するためのダイアルを別途設けてもよい。この例の場合、ユーザは音声受信機１０Ｂから音声を出力させながら、該ダイアルを操作することにより、該音声の音量を調節する。そして、音声受信機１０Ｂ（または音声受信機１０Ｃ）に設けられた音量設定ボタン５１が押下されると、その旨を示す通知が音声送信機３０Ｂへ送信される。音声送信機３０Ｂの設定音量制御部６１は、通信制御部４３Ｂから該通知を取得したとき、上記ダイアルが示す音量の値をユーザ設定音量データとして設定音量記憶部６２に記憶する。
【０１１９】
〔実施形態１〜３に共通の変形例〕
実施形態１〜３に共通の変形例について説明する。なお、以下では実施形態１の変形例として説明するが、以下の変形例は実施形態２および３にも適用可能である。
【０１２０】
音声受信機１０Ａは、二次電池１８からの電力で自機を動作させるものに限定されない。例えば、音声受信機１０Ａは、音声送信機３０Ａから電力を取得し、該電力で自機を動作させる構成を備えていてもよい。
【０１２１】
また、ワイヤレススピーカシステム１Ａは、充電端子１６ａ、１６ｂ、および、充電端子３７ａ、３７ｂを介して、音声送信機３０Ａから音声受信機１０Ａに電力を供給する構成に限定されない。例えば、ワイヤレススピーカシステム１Ａは、電磁誘導によって音声送信機３０Ａから音声受信機１０Ａに電力を供給する構成を備えていてもよい。
【０１２２】
また、ワイヤレススピーカシステム１Ａ (具体的には、音声受信機１０Ａのペアリング制御部２１、および音声送信機３０Ａのペアリング制御部４１Ａ)は、接続端子１４と接続端子３４とが電気的に接続されたときに、音声受信機１０Ａと音声送信機３０Ａとが接続されたと認識する構成に限定されない。例えば、ワイヤレススピーカシステム１Ａは、音声受信機１０Ａおよび音声送信機３０Ａの一方に磁石を設け、他方に磁気センサを設けた構成であり、音声受信機１０Ａと音声送信機３０Ａとが接続されたときに、磁石が磁気センサに近接する構成であってもよい。この例の場合、ペアリング制御部２１、およびペアリング制御部４１Ａは、磁石が近づくことで磁気センサが磁気の変化を検知したときに、音声受信機１０Ａと音声送信機３０Ａとが接続されたと認識する。また、ワイヤレススピーカシステム１Ａは、音声受信機１０Ａおよび音声送信機３０Ａの一方に突起を設け、他方に孔とスイッチとを設けた構成であり、音声受信機１０Ａと音声送信機３０Ａとが接続されたときに、突起が孔に挿入され、スイッチを押下する構成であってもよい。この例の場合、ペアリング制御部２１、およびペアリング制御部４１Ａは、突起が孔に挿入されてスイッチを押下することで生じる電圧変化を検知したときに、音声受信機１０Ａと音声送信機３０Ａとが接続されたと認識する。
【０１２３】
また、音声受信機１０Ａのペアリング制御部２１は、ペアリング拒否通知を、接続端子１４および接続端子３４を介して、音声送信機３０Ａのペアリング制御部４１Ａに送信する構成であってもよい。
【０１２４】
〔実施形態４〕
（ソフトウェアによる実現例）
音声受信機１０Ａ〜１０Ｃ、および音声送信機３０Ａ、３０Ｂの制御ブロック（特に制御部２０Ａ〜２０Ｃ、および制御部４０Ａ、４０Ｂ）は、集積回路（ＩＣチップ）等に形成された論理回路（ハードウェア）によって実現してもよいし、ＣＰＵ（Central Processing Unit）を用いてソフトウェアによって実現してもよい。
【０１２５】
後者の場合、音声受信機１０Ａ〜１０Ｃ、および音声送信機３０Ａ、３０Ｂは、各機能を実現するソフトウェアであるプログラムの命令を実行するＣＰＵ、上記プログラムおよび各種データがコンピュータ（またはＣＰＵ）で読み取り可能に記録されたＲＯＭ（ReadOnly Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２６】
〔まとめ〕
本発明の態様１に係る受信機（音声受信機１０Ａ、１０Ｂ、１０Ｃ）は、複数の送信機（音声送信機３０Ａ、３０Ｂ）のうち、ペアリングした送信機から無線通信によって受信した情報を出力する受信機であって、上記送信機と接続されたとき、上記送信機から電力を取得する電力取得部（充電端子１６ａ、１６ｂ、充電制御回路１７）と、接続した上記送信機とペアリングするか否かのユーザの選択を受け付けるペアリング選択受付部（ペアリング維持ボタン１３）と、上記送信機と接続されたとき、上記ペアリング選択受付部が受け付けた上記選択に応じて、該送信機とペアリングするか、または現在ペアリングしている送信機とのペアリングを維持するかを決定するペアリング決定部（ペアリング制御部２１）と、を備える構成である。
【０１２７】
上記の構成によれば、ペアリング決定部は、ペアリング選択受付部が、受信機が接続された送信機とのペアリングすることを示す選択を受け付けた場合には、該受信機と、該送信機とのペアリングを行う。一方、ペアリング決定部は、ペアリング選択受付部が、送信機とのペアリングをしないことを示す選択を受け付けた場合には、該受信機と、該送信機とのペアリングを行わず、電力の取得のみを行う。つまり、ユーザが送信機からの電力の取得のみを行いたい場合には、ユーザが受信機を送信機に接続する前にペアリング選択受付部にて送信機とのペアリングをしない選択を行うことにより、受信機と送信機とが自動的にペアリングすることを防ぐことができるようになっている。したがって、受信機への電力供給のために受信機と送信機とを接続するときに、当該送信機とペアリングするかどうかを選択することができる受信機を提供することができる。
【０１２８】
本発明の態様２に係る受信機（音声受信機１０Ｂ、１０Ｃ）は、上記態様１において、上記情報として音声を出力する音声出力部１２と、上記音声出力部１２に音声を出力させる音声出力制御部（出力音量設定部２４Ｂ、２４Ｃ）と、上記送信機（音声送信機３０Ｂ）とペアリングしたとき、該送信機に予め記憶されている、上記音声の音量を示す音量情報を取得する音量情報取得部（通信制御部２２Ｂ）と、をさらに備え、上記音声出力制御部は、上記送信機とペアリングしたとき、上記音量情報取得部が取得した音量情報が示す音量で、上記音声出力部１２に音声を出力させる構成であることが好ましい。
【０１２９】
上記の構成によれば、送信機とペアリングしたときに、当該送信機が記憶している音量情報が示す音量で音声出力部から音声を出力するので、受信機にて設定された音量が、送信機が設置されている場所に適していない音量となっていた場合に、該音量で音声が出力されることを防ぐことができる。
【０１３０】
本発明の態様３に係る受信機は、上記態様２において、上記音声出力部１２が出力している音声の音量を上記音量情報（ユーザ設定音量データ）として上記送信機に記憶するためのユーザ操作を受け付ける音量記憶操作部（音量設定ボタン５１）と、上記音量記憶操作部が上記ユーザ操作を受け付けたとき、上記音声出力部１２が出力している音声の音量を示す上記音量情報を生成し、上記送信機に記憶させる音量情報制御部（設定音量送信部５２）と、をさらに備える構成であってもよい。
【０１３１】
上記の構成によれば、音声出力部が出力している音声の音量を音量情報として送信機に記憶させることができるので、送信機とペアリングしたときに、受信機から出力される音声の音量を、ユーザの所望の音量とすることができる。
【０１３２】
本発明の態様４に係る受信機（音声受信機１０Ｃ）は、上記態様２または３において、上記音量情報が示す音量で音声を出力するか否かのユーザの選択を受け付ける音量選択受付部（音量維持ボタン７０）をさらに備え、上記音声出力制御部（出力音量設定部２４Ｃ）は、上記音量選択受付部が受け付けた上記選択に応じて、上記音量情報が示す音量で上記音声出力部１２に音声を出力させるか、または、上記受信機にて設定された音量で上記音声出力部１２に音声を出力させる構成であってもよい。
【０１３３】
上記の構成によれば、新たにペアリングした送信機から受信した音声情報を、送信機が記憶している音量情報が示す音量で出力するか、または、受信機にて設定された音量で出力するかを、ユーザが選択することができる。
【０１３４】
本発明の態様５に係る無線通信システム（ワイヤレススピーカシステム１Ａ、１Ｂ、１Ｃ）は、複数の送信機（音声送信機３０Ａ、３０Ｂ）と、当該複数の送信機のうちペアリングした送信機から無線通信によって受信した情報を出力する受信機（音声受信機１０Ａ、１０Ｂ、１０Ｃ）とを備える無線通信システムであって、上記送信機と、上記受信機とは、互いに接続されたとき、上記送信機から上記受信機に電力を供給し、上記送信機または上記受信機は、接続した上記送信機と上記受信機とのペアリングを行うか否かのユーザの選択を受け付け、上記送信機と上記受信機とが接続されたとき、互いのペアリングを行うか否かのユーザの選択に応じて、該受信機と該送信機とのペアリングを行うか、または該受信機が現在ペアリングしている送信機とのペアリングを維持するかを決定する。上記の構成によれば、態様１に係る受信機と同様の作用効果を奏する。
【０１３５】
本発明の態様６に係る受信機の制御方法は、複数の送信機（音声送信機３０Ａ、３０Ｂ）のうちペアリングした送信機から無線通信によって受信した情報を出力する受信機（音声受信機１０Ａ、１０Ｂ、１０Ｃ）の制御方法であって、上記送信機と接続されたとき、上記送信機から電力を取得する電力取得ステップ（Ｓ１２）と、接続した上記送信機とペアリングするか否かのユーザの選択を受け付けるペアリング選択受付ステップ（Ｓ１１）と、上記送信機と接続されたとき、上記ペアリング選択受付ステップにおいて受け付けた上記選択に応じて、該送信機とペアリングするか、または現在ペアリングしている送信機とのペアリングを維持するかを決定するペアリング決定ステップ（Ｓ１５）と、を含む構成である。上記の構成によれば、態様１に係る受信機と同様の作用効果を奏する。
【０１３６】
本発明の各態様に係る受信機および送信機は、コンピュータによって実現してもよく、この場合には、コンピュータを上記受信機および送信機が備える各部（ソフトウェア要素）として動作させることにより上記受信機および送信機をコンピュータにて実現させる制御プログラム、およびそれを記録したコンピュータ読み取り可能な記録媒体も、本発明の範疇に入る。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３８】
１Ａ〜１Ｃ      ワイヤレススピーカシステム（無線通信システム）
１０Ａ〜１０Ｃ  音声受信機（受信機）
１２            音声出力部
１３            ペアリング維持ボタン（ペアリング選択受付部）
１６ａ、１６ｂ  充電端子（電力取得部）
１７            充電制御回路（電力取得部）
２１            ペアリング制御部（ペアリング決定部）
２２Ｂ          通信制御部（音量情報取得部）
２４Ａ〜２４Ｃ  出力音量設定部（音声出力制御部）
３０Ａ、３０Ｂ  音声送信機（送信機）
３６            充電制御回路（送電部）
３７ａ、３７ｂ  充電端子（送電部）
５１            音量設定ボタン（音量記憶操作部）
５２            設定音量送信部（音量情報制御部）
７０            音量維持ボタン（音量選択受付部）
Ｓ１１          ペアリング選択受付ステップ
Ｓ１２          電力取得ステップ
Ｓ１５          ペアリング決定ステップ
【図１】
0006585306.tif 000002
【図２】
0006585306.tif 000003
【図３】
0006585306.tif 000004
【図４】
0006585306.tif 000005
【図５】
0006585306.tif 000006
【図６】
0006585306.tif 000007
【図７】
0006585306.tif 000008
【図８】
0006585306.tif 000009
【図９】
0006585306.tif 000010
【図１０】
0006585306.tif 000011